(57)【要約】【課題】インターネット接続機能及びペアレンタルコントロール機能を有し、インターネット上のコンテンツの視聴制限が可能な電子機器を提供する。【解決手段】インターネット接続機能及びペアレンタルコントロール機能を有する電子機器であって、インターネット上のコンテンツに関するレーティング情報を記憶する記憶部（例えばメモリ１２）と、前記記憶部に記憶されている前記インターネット上のコンテンツに関するレーティング情報に基づいて、前記インターネット上のコンテンツの視聴制限を行う視聴制限部（例えばシステムコントローラ１１及び信号出力制御回路７）とを備える電子機器。【選択図】図１
2012048443.tif 000002
【特許請求の範囲】
【請求項１】
インターネット接続機能及びペアレンタルコントロール機能を有する電子機器であって、
インターネット上のコンテンツに関するレーティング情報を記憶する記憶部と、
前記記憶部に記憶されている前記インターネット上のコンテンツに関するレーティング情報に基づいて、前記インターネット上のコンテンツの視聴制限を行う視聴制限部とを備えることを特徴とする電子機器。
【請求項２】
前記インターネット上のコンテンツに関するレーティング情報の格付けと、ＴＶ放送番組に対するペアレンタルコントロール用のレーティング情報の格付け及び映画に対するペアレンタルコントロール用のレーティング情報の格付けの少なくとも一方とが、共通化されていることを特徴とする請求項１に記載の電子機器。
【請求項３】
前記インターネット上のコンテンツに関するレーティング情報を編集するための編集画面と、ＴＶ放送番組に関するレーティング情報及び映画に関するレーティング情報の少なくとも一方を編集するための編集画面とで、表示形態が共通化されており、
前記編集画面用の映像信号を生成する映像信号生成部を備えることを特徴とする請求項２に記載の電子機器。
【請求項４】
前記記憶部に記憶されている前記インターネット上のコンテンツに関するレーティング情報の追加又は削除が可能であることを特徴とする請求項１〜３のいずれか１項に記載の電子機器。
【請求項５】
前記記憶部に記憶されている前記インターネット上のコンテンツに関するレーティング情報であっても、インターネット上のコンテンツにコンテンツ配信事業者によって付加されたレーティング情報である場合には、削除ができないことを特徴とする請求項４に記載の電子機器。
【請求項６】
前記インターネット上のコンテンツにコンテンツ配信事業者によって付加されたレーティング情報の変更通知を受信する受信部を備え、
前記変更通知の内容に基づいて、前記記憶部に記憶されている前記インターネット上のコンテンツに関するレーティング情報が書き換えられることを特徴とする請求項５に記載の電子機器。
【発明の詳細な説明】
【技術分野】
【０００１】
本発明は、インターネット接続機能及びペアレンタルコントロール機能を有する電子機器に関する。
【背景技術】
【０００２】
インターネット上のコンテンツを視聴する場合、主としてパーソナルコンピュータ（以下、パソコンという）が使用される。パソコンを用いてインターネット上のコンテンツを視聴する場合、インターネット上のコンテンツを視聴するためのソフトウェアがパソコンにプレインストールされていなければユーザー自身が上記ソフトウェアをパソコンにインストールする必要がある。また、インターネット上のコンテンツ視聴時に上記ソフトウェアをユーザーが選択して起動させる必要がある。そのため、パソコンの知識があまり無いユーザーにはその操作方法や視聴方法が分かり難いという問題点があった。
【０００３】
さらに、上記ソフトウェアの起動が問題なく行えてインターネット上のコンテンツの視聴に成功してもユーザーが視聴したくないコンテンツや有害なコンテンツがインターネット上には多く存在する。そのため、視聴したくないコンテンツや有害なコンテンツの視聴を制限するために、視聴制限用のソフトウェアをパソコンにインストールして視聴を制限することがある。
【０００４】
このような状況のなか、パソコンの知識が乏しいユーザーにも簡単にインターネットに接続でき、インターネット上のコンテンツを気軽に楽しめるような装置が開発されており、そのような装置の一つに、インターネットに接続可能なテレビジョン受信機（インターネットテレビ）がある。インターネットテレビは、近年、テレビジョン受信機の主流になりつつある。
【先行技術文献】
【特許文献】
【０００５】
【特許文献１】特開２００７−２８１６８６号公報
【発明の概要】
【発明が解決しようとする課題】
【０００６】
しかしながら、現状のインターネットテレビは、誰でも気軽にインターネットに接続でき、そのコンテンツを簡単に視聴できることに重点を置いて開発されたため、インターネットで配信されるコンテンツの視聴制限についてはあまり考慮されていなかった。そのため、視聴したくないコンテンツや有害なコンテンツの視聴を制限する手段が確立されていないという問題がある。
【０００７】
このような問題は、インターネットテレビに限ったものではなく、インターネット接続機能を有するセット・トップ・ボックス、光ディスク装置、ハードディスクレコーダーなどにおいても生じる。
【０００８】
なお、特許文献１で提案されているテレビジョン受信機は、受信した放送番組の視聴制限を行うテレビジョン受信機であって、インターネット上のコンテンツの視聴制限を行うテレビジョン受信機ではないため、視聴したくないコンテンツや有害なコンテンツの視聴を制限する手段が確立されていないという上記の問題を解決することはできない。
【０００９】
本発明は、上記の状況に鑑み、インターネット接続機能及びペアレンタルコントロール機能を有し、インターネット上のコンテンツの視聴制限が可能な電子機器を提供することを目的とする。
【課題を解決するための手段】
【００１０】
上記目的を達成するために本発明に係る電子機器は、インターネット接続機能及びペアレンタルコントロール機能を有する電子機器であって、インターネット上のコンテンツに関するレーティング情報を記憶する記憶部と、前記記憶部に記憶されている前記インターネット上のコンテンツに関するレーティング情報に基づいて、前記インターネット上のコンテンツの視聴制限を行う視聴制限部とを備える構成とする。
【００１１】
このような構成によると、インターネット上のコンテンツの視聴制限が可能になる。
【００１２】
また、前記インターネット上のコンテンツに関するレーティング情報の格付けと、ＴＶ放送番組に対するペアレンタルコントロール用のレーティング情報の格付け及び映画に対するペアレンタルコントロール用のレーティング情報の格付けの少なくとも一方とが、共通化されていることが望ましい。
【００１３】
さらに、前記インターネット上のコンテンツに関するレーティング情報を編集するための編集画面と、ＴＶ放送番組に関するレーティング情報及び映画に関するレーティング情報の少なくとも一方を編集するための編集画面とで、表示形態が共通化されており、前記編集画面用の映像信号を生成する映像信号生成部を備えることが望ましい。
【００１４】
また、前記記憶部に記憶されている前記インターネット上のコンテンツに関するレーティング情報の追加又は削除が可能であることが望ましい。
【００１５】
さらに、前記記憶部に記憶されている前記インターネット上のコンテンツに関するレーティング情報であっても、インターネット上のコンテンツにコンテンツ配信事業者によって付加されたレーティング情報である場合には、削除ができないようにすることが望ましい。
【００１６】
さらに、前記インターネット上のコンテンツにコンテンツ配信事業者によって付加されたレーティング情報の変更通知を受信する受信部を備え、前記変更通知の内容に基づいて、前記記憶部に記憶されている前記インターネット上のコンテンツに関するレーティング情報が書き換えられることが望ましい。
【発明の効果】
【００１７】
本発明に係る電子機器は、インターネット接続機能及びペアレンタルコントロール機能を有する電子機器であって、インターネット上のコンテンツに関するレーティング情報を記憶する記憶部と、前記記憶部に記憶されている前記インターネット上のコンテンツに関するレーティング情報に基づいて、前記インターネット上のコンテンツの視聴制限を行う視聴制限部とを備える構成である。このような構成により、インターネット上のコンテンツの視聴制限が可能になる。
【図面の簡単な説明】
【００１８】
【図１】本発明の一実施形態に係るテレビジョン受信機のブロック図である。
【図２】図１に示す本発明の一実施形態に係るテレビジョン受信機が実行するインターネット上のコンテンツに関するレーティング情報の編集処理を示すフローチャートである。
【図３】図１に示す本発明の一実施形態に係るテレビジョン受信機が実行するインターネット上のコンテンツに関するレーティング情報の編集処理を示すフローチャートである。
【図４】レーティング情報編集画面の一例を示す図である。
【図５】レーティング情報編集画面の他の例を示す図である。
【図６】レーティング情報編集画面の更に他の例を示す図である。
【図７】レーティング情報編集画面の更に他の例を示す図である。
【図８】レーティング情報編集画面の更に他の例を示す図である。
【図９】インターネット上のコンテンツに関するレーティング情報の一覧表示画面の一例を示す図である。
【図１０】ＴＶ放送番組に関するレーティング情報編集画面の一例を示す図である。
【図１１】映画に関するレーティング情報編集画面の一例を示す図である。
【発明を実施するための形態】
【００１９】
本発明の実施形態について図面を参照して以下に説明する。
【００２０】
本発明の一実施形態に係るテレビジョン受信機のブロック図を図１に示す。図１に示す本発明の一実施形態に係るテレビジョン受信機は、インターネット接続機能を有するテレビジョン受信機（インターネットテレビ）であって、デジタルチューナ２と、デマルチプレクサ（ＤＥＭＵＸ）３と、ＡＶデコーダ４と、映像処理回路５と、音声処理回路６と、信号出力制御回路７と、加算器８と、映像出力部９と、音声出力部１０と、システムコントローラ１１と、メモリ１２と、ＯＳＤ（On Screen Display）表示回路１３と、本体操作部１４と、リモコン受光部１５と、ネットワーク接続部１６とを備えている。
【００２１】
アンテナ１がデジタル放送電波を受信し、受信信号をデジタルチューナ２に供給する。デジタルチューナ２は、システムコントローラ１１からのチャンネル選択信号によって、物理チャンネルを選択する。デジタルチューナ２は、このチャンネル選択プロセスによって、高周波信号である受信信号を、特定周波数の信号である選択された物理チャンネルのデジタル変調信号に変換する。また、デジタルチューナ２は、選択された物理チャンネルのデジタル変調信号を復調する復調回路等を備えており、トランスポートストリームＴＳを出力する。
【００２２】
デマルチプレクサ（ＤＥＭＵＸ）３は、デジタルチューナ２から受け取ったトランスポートストリームＴＳのパケットのうち暗号化が施されているパケットに対して復号を行い、パケットを放送番組の内容そのものであるＡＶデータとＳＩ（Service Information）情報とに分別し、ＡＶデータをＡＶデコーダ４に出力し、ＳＩ情報をシステムコントローラ１１に出力する。
【００２３】
ＡＶデコーダ４は、システムコントローラ１１から出力されるＡＶ制御信号に応じて、デマルチプレクサ３又はシステムコントローラ１１から受け取ったＡＶデータを映像信号と音声信号とにデコードし、映像信号を映像処理回路５に出力し、音声信号を音声処理回路６に出力する。
【００２４】
映像処理回路５は、ＡＶデコーダ４から映像信号を受け取り、Ｄ／Ａ変換を行うことによってアナログ映像信号を生成する。音声処理回路６は、ＡＶデコーダ４あるいはシステムコントローラ１１から音声データを受け取り、Ｄ／Ａ変換を行うことによってアナログ音声信号を生成する。
【００２５】
システムコントローラ１１は、ユーザーによるキー操作を受け付ける本体操作部１４から出力される操作コマンドあるいはユーザーによるキー操作を受け付けるリモコン送信機（不図示）から送信されるリモコン赤外線信号を受光するリモコン受光部１５から出力される操作コマンドに応じて、テレビジョン受信機の各種制御を行う。
【００２６】
メモリ１２は、システムコントローラ１１がテレビジョン受信機の各種制御を行うために必要な各種プログラム及び各種データを不揮発的に記憶している。
【００２７】
システムコントローラ１１は、上述した操作コマンドあるいはメッセージ表示の必要性に応じて、ＯＳＤ表示回路１３にＯＳＤ制御信号を送出する。
【００２８】
ＯＳＤ回路１３は、システムコントローラ１１から送られてきたＯＳＤ制御信号に基づいてＯＳＤ信号を生成し、そのＯＳＤ信号を加算器８に出力する。
【００２９】
加算器８は、映像処理回路５から出力されるアナログ映像信号に、ＯＳＤ回路１３から出力されるＯＳＤ信号をスーパーインポーズし、その結果得られた映像信号を映像出力部９に供給する。
【００３０】
映像出力部９は表示装置（不図示）を有しており、加算器８から供給された映像信号に応じた映像が当該表示装置の表示画面に表示される。
【００３１】
音声出力部１０はスピーカ（不図示）を有しており、音声処理回路６から供給されたアナログ音声信号に応じた音声が当該スピーカから発せられる。
【００３２】
ネットワーク接続部１６は、ネットワークに接続されたモデム（不図示）を介して容易にインターネットに接続することができる。ネットワーク接続部１６がシステムコントローラ１１の制御に従ってインターネット上のコンテンツを受信すると、システムコントローラ１１はネットワーク接続部１６が受信したインターネット上のコンテンツの内容そのものであるＡＶデータをＡＶデコーダ４に出力する。
【００３３】
レーティング情報に基づく視聴制限を有効にする設定になっている場合、映像処理回路５及び音声処理回路６の後段に設けられる信号出力制御回路７は、メモリ１２に記憶されているレーティング情報に基づいて、ＴＶ放送番組又はインターネット上のコンテンツの視聴制限を行う。視聴制限が行われているときは、信号出力制御回路７から加算器８へのアナログ映像信号出力が停止され、信号出力制御回路７から音声出力部１０へのアナログ音声信号出力が停止される。
【００３４】
本実施形態では、TV Parental Guideline（いわゆるV-Guide）や映画用のペアレンタル情報（いわゆるMPAA Rating）で運用されているレーティング情報の格付け方法を用いるので、その説明を行う。
【００３５】
アメリカでは主にＴＶ放送番組に対するペアレンタルコントロール用のレーティング情報は、年齢別と内容別とで格付けされている。
【００３６】
年齢別では以下に示す６段階に格付けされている。
・ＴＶ−Ｙ（全ての子供用番組）
・ＴＶ−Ｙ７（７歳以上の子供向け番組。現実と空想との分別が出来る子供が対象）
・ＴＶ−Ｇ（一般視聴者向け番組。特に子供向けではないが子供が見ても問題ない）
・ＴＶ−ＰＧ（低年齢の小児にとって不適切な内容が含まれる可能性がある番組。親が一緒に視聴することが望ましい。）
・ＴＶ−１４（１４歳未満には不適当な番組）
・ＴＶ−ＭＡ（１７歳未満には不適切な番組。大人向け）
【００３７】
年齢別では以下に示す５段階に格付けされている。
・Ｖ（暴力）
・ＦＶ（空想的な暴力）
・Ｓ（何らかの性的描写）
・Ｌ（荒っぽい言葉）
・Ｄ（挑発的な会話）
【００３８】
一方、映画に対するペアレンタルコントロール用のレーティング情報は、年齢別で格付けされており、以下に示す６段階に格付けされている。
・Ｇ（一般視聴者向け映画）
・ＰＧ（低年齢の小児にとって不適当な内容が含まれる可能性がある番組。父兄または保護者の付き添いが望ましい映画）
・ＰＧ１３（１３歳未満には不適切な映画。１３歳以上推奨。）
・Ｒ（１７歳未満には父兄または保護者の付き添いが望ましい映画）
・ＮＣ−１７（１７歳未満に不適切な映画）
・Ｘ（１７歳未満に不適切な映画）
【００３９】
ユーザーによる本体操作部１４又はリモコン送信機（不図示）のキー操作でインターネット上のコンテンツに関するレーティング情報の編集が指示されると、図２に示すフローチャート動作が開始される。
【００４０】
まず、システムコントローラ１１は、ネットワーク接続部１６がインターネット接続されている状態であるか否かを判定する（ステップＳ１０）。
【００４１】
ステップＳ１０の判定においてネットワーク接続部１６がインターネット接続されている状態でないと判定された場合（ステップＳ１０のＮＯ）、後述するステップＳ２０〜ステップＳ６０の判定処理を行うことなく、直ちに図３に示すフローチャートのステップＳ９０に移行する。
【００４２】
一方、ステップＳ１０の判定においてネットワーク接続部１６がインターネット接続されている状態であると判定された場合（ステップＳ１０のＹＥＳ）、システムコントローラ１１は、インターネット上のコンテンツを現在視聴中であるか否かを判定する（ステップＳ２０）。
【００４３】
ステップＳ２０の判定において、インターネット上のコンテンツを現在視聴中でないと判定された場合（ステップＳ２０のＮＯ）、後述するステップＳ３０〜ステップＳ６０の判定処理を行うことなく、直ちに図３に示すフローチャートのステップＳ９０に移行する。
【００４４】
一方、ステップＳ２０の判定において、インターネット上のコンテンツを現在視聴中であると判定された場合（ステップＳ２０のＹＥＳ）、システムコントローラ１１は、メモリ１２に記憶されている自動視聴制限設定の状態が有効であるか無効であるかを判定する（ステップＳ３０）。
【００４５】
ステップＳ３０の判定において、自動視聴制限設定が無効であると判定された場合（ステップＳ３０のＮＯ）、後述するステップＳ４０〜ステップＳ６０の判定処理を行うことなく、直ちに図３に示すフローチャートのステップＳ９０に移行する。
【００４６】
一方、ステップＳ３０の判定において、自動視聴制限設定が有効であると判定された場合（ステップＳ３０のＹＥＳ）、システムコントローラ１１は、ＳＩ情報に基づいて、現在視聴中であるインターネット上のコンテンツにコンテンツ配信事業者が付加したレーティング情報があるかを判定する（ステップＳ４０）。
【００４７】
ステップＳ４０の判定において、現在視聴中であるインターネット上のコンテンツにコンテンツ配信事業者が付加したレーティング情報がないと判定された場合（ステップＳ４０のＮＯ）、後述するステップＳ５０〜ステップＳ６０の判定処理を行うことなく、直ちに図３に示すフローチャートのステップＳ９０に移行する。
【００４８】
一方、ステップＳ４０の判定において、現在視聴中であるインターネット上のコンテンツにコンテンツ配信事業者が付加したレーティング情報があると判定された場合（ステップＳ４０のＹＥＳ）、映像出力部９の表示装置が、現在視聴中であるインターネット上のコンテンツにユーザーがさらにレーティング情報を付加するか否かを問い合わせる表示をし、その後、システムコントローラ１１が、現在視聴中であるインターネット上のコンテンツにユーザーがさらにレーティング情報を付加するか否かを判定する（ステップＳ５０）。なお、現在視聴中であるインターネット上のコンテンツにユーザーがさらにレーティング情報を付加することの決定、又は、現在視聴中であるインターネット上のコンテンツにユーザーがさらにレーティング情報を付加しないことの決定は、ユーザーによる本体操作部１４又はリモコン送信機（不図示）のキー操作で行われる。
【００４９】
ステップＳ５０の判定において、現在視聴中であるインターネット上のコンテンツにユーザーがさらにレーティング情報を付加すると判定された場合（ステップＳ５０のＹＥＳ）、後述するステップＳ６０の判定処理を行うことなく、直ちに図３に示すフローチャートのステップＳ９０に移行する。
【００５０】
ステップＳ５０の判定において、現在視聴中であるインターネット上のコンテンツにユーザーがレーティング情報を付加しないと判定された場合（ステップＳ５０のＮＯ）、映像出力部９の表示装置が、レーティング情報に基づく視聴制限を実行するか否かを問い合わせる表示をし、その後、システムコントローラ１１が、レーティング情報に基づく視聴制限を実行するか否かを判定する（ステップＳ６０）。なお、レーティング情報に基づく視聴制限を実行することの決定、又は、レーティング情報に基づく視聴制限を実行しないことの決定は、ユーザーによる本体操作部１４又はリモコン送信機（不図示）のキー操作で行われる。
【００５１】
ステップＳ６０の判定において、レーティング情報に基づく視聴制限を実行すると判定された場合（ステップＳ６０のＹＥＳ）、システムコントローラ１１は、レーティング情報に基づく視聴制限を有効にする設定を行い（ステップＳ７０）、フロー動作を終了する。一方、ステップＳ６０の判定において、レーティング情報に基づく視聴制限を実行しないと判定された場合（ステップＳ６０のＮＯ）、システムコントローラ１１は、レーティング情報に基づく視聴制限を無効にする設定を行い（ステップＳ８０）、フロー動作を終了する。
【００５２】
図３中のステップＳ９０では、映像出力部９の表示装置がレーティング情報編集画面を表示し、その後、インターネット上のコンテンツにレーティング情報を付加することが指示されたか否かをシステムコントローラ１１が判定する（ステップＳ９０）。なお、インターネット上のコンテンツにユーザーがさらにレーティング情報を付加することの決定、又は、インターネット上のコンテンツにユーザーがさらにレーティング情報を付加しないことの決定は、ステップＳ５０の判定結果に応じて行われる、或いは、ユーザーによる本体操作部１４又はリモコン送信機（不図示）のキー操作で行われる。
【００５３】
ステップＳ９０でのレーティング情報編集画面は例えば図４に示すようになる。図４に示すレーティング情報編集画面は、ネットワーク接続されていない状態やインターネット上のコンテンツを視聴中でない状態でステップＳ９０移行した場合の例である。この場合、例えば表示画面に表示されるソフトウェアキー（不図示）を用いて、レーティング情報編集の対象となるインターネット上のコンテンツの配信先ＵＲＬアドレスを入力するようにすればよい。
【００５４】
また、ステップＳ９０でのレーティング情報編集画面は例えば図５に示すようになる。図５に示すレーティング情報編集画面は、コンテンツ配信事業者によってレーティング情報が付加されていないインターネット上のコンテンツを視聴中である状態でステップＳ９０移行した場合の例である。
【００５５】
また、ステップＳ９０でのレーティング情報編集画面は例えば図６に示すようになる。図６に示すレーティング情報編集画面は、コンテンツ配信事業者によってレーティング情報が付加されているインターネット上のコンテンツを視聴中である状態でステップＳ９０移行した場合の例である。なお、本実施形態のレーティング情報編集画面において、コンテンツ配信事業者によって付加されているレーティング情報（図６では“ＴＶ−Ｙ”）は、白抜き星印で表されている。
【００５６】
インターネット上のコンテンツにレーティング情報を付加することが指示された場合
（ステップＳ９０のＹＥＳ）、その指示と同時に、インターネット上のコンテンツに付加するレーティング情報のジャンルが選択される（ステップＳ１００）。当該選択は、ユーザーによる本体操作部１４又はリモコン送信機（不図示）のキー操作で行われる。
【００５７】
全てのジャンル（ＴＶ，Ｍｏｖｉｅ）が選択された場合（ステップＳ１１０のＹＥＳ）、全てのジャンル（ＴＶ，Ｍｏｖｉｅ）でのレーティング情報編集が可能になる（ステップＳ１３０）。
【００５８】
ＴＶジャンルのみが選択された場合（ステップＳ１１０のＮＯ及びステップＳ１２０のＹＥＳ）、ＴＶジャンルのみでのレーティング情報編集が可能になる（ステップＳ１４０）。ここで、“http://www.xxxx.co.jp/TV/Sample/”という配信先ＵＲＬアドレスのコンテンツに、既にコンテンツ配信事業者によって付加されている“ＴＶ−Ｙ”に加えて、ユーザーによる本体操作部１４又はリモコン送信機（不図示）のキー操作によって“ＴＶ−Ｙ７，ＦＶ”及び“ＴＶ−Ｇ”を付加した場合のレーティング情報編集画面を図７に示す。なお、本実施形態のレーティング情報編集画面において、ユーザーによる本体操作部１４又はリモコン送信機（不図示）のキー操作によって付加されたレーティング情報（図７では“ＴＶ−Ｙ７，ＦＶ”及び“ＴＶ−Ｇ”）は、黒塗り星印で表されている。
【００５９】
Ｍｏｖｉｅジャンルのみが選択された場合（ステップＳ１１０のＮＯ及びステップＳ１２０のＮＯ）、Ｍｏｖｉｅジャンルのみでのレーティング情報編集が可能になる（ステップＳ１５０）。ここで、“http://www.xxxx.co.jp/TV/Sample2/”という配信先ＵＲＬアドレスのコンテンツに、ユーザーによる本体操作部１４又はリモコン送信機（不図示）のキー操作によって“Ｇ”、“ＰＧ”、“ＰＧ１３”、“Ｒ”、“ＮＣ−１７”、及び“Ｘ”を付加した場合のレーティング情報編集画面を図８に示す。
【００６０】
ステップＳ１３０〜Ｓ１５０のいずれかの状態で、レーティング情報編集画面にある“ＥＸＩＴ”がユーザーによる本体操作部１４又はリモコン送信機（不図示）のキー操作によって選択されると、映像出力部９の表示装置が、レーティング情報に基づく視聴制限を実行するか否かを問い合わせる表示をし、その後、システムコントローラ１１が、レーティング情報に基づく視聴制限を実行するか否かを判定する（ステップＳ１６０）。なお、レーティング情報に基づく視聴制限を実行することの決定、又は、レーティング情報に基づく視聴制限を実行しないことの決定は、ユーザーによる本体操作部１４又はリモコン送信機（不図示）のキー操作で行われる。
【００６１】
ステップＳ１６０の判定において、レーティング情報に基づく視聴制限を実行すると判定された場合（ステップＳ１６０のＹＥＳ）、システムコントローラ１１は、レーティング情報に基づく視聴制限を有効にする設定を行い（ステップＳ１７０）、フロー動作を終了する。一方、ステップＳ１６０の判定において、レーティング情報に基づく視聴制限を実行しないと判定された場合（ステップＳ１６０のＮＯ）、システムコントローラ１１は、レーティング情報に基づく視聴制限を無効にする設定を行い（ステップＳ１８０）、フロー動作を終了する。
【００６２】
また、ステップＳ９０の判定において、インターネット上のコンテンツにレーティング情報を付加することが指示されていないと判定された場合（ステップＳ９０のＮＯ）、インターネット上のコンテンツに以前付加されたレーティング情報を削除することが指示されたか否かをシステムコントローラ１１が判定する（ステップＳ１９０）。なお、インターネット上のコンテンツに以前付加されたレーティング情報をユーザーが削除することの決定、又は、インターネット上のコンテンツに以前付加されたレーティング情報をユーザーが削除しないことの決定は、ユーザーによる本体操作部１４又はリモコン送信機（不図示）のキー操作で行われる。
【００６３】
ステップＳ１９０の判定において、インターネット上のコンテンツに以前付加されたレーティング情報を削除することが指示されていないと判定された場合（ステップＳ１９０のＮＯ）、フロー動作を終了する。
【００６４】
ステップＳ１９０の判定において、インターネット上のコンテンツに以前付加されたレーティング情報を削除することが指示されていると判定された場合（ステップＳ１９０のＹＥＳ）、削除対象のレーティング情報がコンテンツ配信事業者によって付加されたもの（白抜き星印で表されているレーティング情報）であれば（ステップＳ２００のＹＥＳ）削除を実行せずにフロー動作を終了し、削除対象のレーティング情報がユーザーによって付加されたもの（黒塗り星印で表されているレーティング情報）であれば（ステップＳ２００のＮＯ）削除を実行して（ステップＳ２１０）フロー動作を終了する。
【００６５】
上述した動作により、インターネット上のコンテンツの視聴制限が可能になる。
【００６６】
また、インターネット上のコンテンツに関するレーティング情報の一覧をユーザーが容易に確認することができるために、ユーザーによる本体操作部１４又はリモコン送信機（不図示）のキー操作により、映像出力部９の表示装置が、図９に示すような一覧表示画面を表示可能であることが望ましい。
【００６７】
また、インターネット上のコンテンツに関するレーティング情報編集画面とＴＶ放送番組に関するレーティング情報編集画面とで、表示形態を共通化することが望ましい。このように表示形態を共通化した場合、本実施形態におけるＴＶ放送番組に関するレーティング情報編集画面は例えば図１０に示すようになる。このように表示形態を共通化した場合、ユーザーは、ＴＶ放送番組に関するレーティング情報編集画面の利用方法を習得すれば、インターネット上のコンテンツに関するレーティング情報編集画面も同様の方法で利用することができるので、インターネット上のコンテンツに関するレーティング情報編集を簡単に行うことができる。
【００６８】
また、インターネット上のコンテンツにコンテンツ配信事業者によって一旦付加されたレーティング情報がその後変更され、その変更内容がＴＶ放送波やインターネットを利用して通知されるサービスが今後提供されることが想定される。したがって、当該サービスに対応するために、インターネット上のコンテンツにコンテンツ配信事業者によって付加されたレーティング情報の変更通知をデジタルチューナ２やネットワーク接続部１６が受け取ると、システムコントローラ１１が、その変更通知の内容に基づいて、メモリ１２に記憶されているレーティング情報を書き換えることが望ましい。
【００６９】
以上、本発明に係る実施形態について説明したが、本発明の範囲はこれに限定されるものではなく、発明の主旨を逸脱しない範囲で種々の変更を加えて実行することができる。例えば、上述した実施形態では、デジタルテレビジョン受信機を例に挙げて説明したが、アナログテレビジョン受信機であってもインターネット接続機能及びペアレンタルコントロール機能を有していれば本発明を適用することができる。さらに、本発明は、テレビジョン受信機に限らず、インターネット接続機能及びペアレンタルコントロール機能を有する電子機器全般に適用することができる。
【００７０】
例えば、本発明を光ディスク装置に適用した場合、インターネット上のコンテンツに関するレーティング情報編集画面と映画に関するレーティング情報編集画面とで、表示形態を共通化することが望ましい。このように表示形態を共通化した場合、インターネット上のコンテンツに関するレーティング情報編集画面が上述した実施形態のような表示形態であれば、映画に関するレーティング情報編集画面は例えば図１１に示すようになる。
【符号の説明】
【００７１】
１  アンテナ
２  デジタルチューナ
３  デマルチプレクサ
４  ＡＶデコーダ
５  映像処理回路
６  音声処理回路
７  信号出力制御回路
８  加算器
９  映像出力部
１０  音声出力部
１１  システムコントローラ
１２  メモリ
１３  ＯＳＤ表示回路
１４  本体操作部
１５  リモコン受光部
１６  ネットワーク接続部
【図１】
2012048443.tif 000003
【図２】
2012048443.tif 000004
【図３】
2012048443.tif 000005
【図４】
2012048443.tif 000006
【図５】
2012048443.tif 000007
【図６】
2012048443.tif 000008
【図７】
2012048443.tif 000009
【図８】
2012048443.tif 000010
【図９】
2012048443.tif 000011
【図１０】
2012048443.tif 000012
【図１１】
2012048443.tif 000013